(57)【要約】      （修正有）【課題】食物摂取を少量とし、少量の食物を、よく噛むこと、この所作を介して、脳への刺激と、脳への満腹感を認知させるべく、はし本体の先端掴み部を球形としたはしを提供する。【解決手段】このはし１は、握り部２と、はし本体３と、はし本体３の基端側の先端掴み部４（掴み部）で構成する。そして、はし本体３の基端側の先端掴み部４を、球形６とするとともに、握り部２の自由端側２００を、先端部を球形とした弊害を解消するため三角テーパ形状７とする。尚、はし１は、木製、金属杆、アルミニュウム、ステンレス、プラスチック等の素材を利用する。【選択図】図１
0003146394.tif 000002
【実用新案登録請求の範囲】
【請求項１】
握り部と、この握り部に連設したはし本体と、このはし本体の先端掴み部で構成したはしであって、
この先端掴み部を、球形とするとともに、握り部の自由端側を、三角テーパ形状とする構造としたはし。
【請求項２】
請求項１に記載のはしであって、
そのはしを、握り部と、はし本体間で、接離可能とする構造としたはし。
【請求項３】
請求項１に記載のはしであって、
その先端掴み部の球形の外形寸法と、はし本体の最も太い箇所の外形寸法が、略同じ直径とする構造としたはし。
【考案の詳細な説明】
【技術分野】
【０００１】
本考案は、食物を、少量ずつ口に運ぶのに最適で、かつダイエット及び／又は健康に役立つはしに関する。
【背景技術】
【０００２】
周知の如く、食物を適量摂取し、かつよく噛む（咀嚼する）ことは、体の成長及び健康管理、又はベストの体重を維持でき、また、ダイエット、メタボリックシンドローム対策、健康維持等として有益である。しかしながら、従来の食事は、大量の食物を一気に口に運び、十分に噛むことなく食する習慣となっており、好ましいことでない。そのために、次のようなことが、望ましいとされている。
１）  満腹感を食物摂取が少量でも達成できるようにするため、よく噛むこと、この所作を介して、脳への刺激と、脳へ満腹感を認知させること、
２）  掴む量を少なくするとともに、単品の食物（おかず又はご飯）を食べる状況を確保し、食材の旨みを確認しながら、楽しく、かつ愉快に食事ができること、
３）  おかずを食べる際、少量でなければ、ご飯とともに、口に運ぶことが困難となり、おかずの味付けが希釈化される（薄口の味付け）効果と、塩分調整（減塩効果）に役立つこと、
４）  個人のはしで、かつ代替ができないことを考慮し、マイはしとしての認知を確保すること、である。
【０００３】
上記に鑑み、本出願人の関係者は、実用新案登録第３０６１９８９号の「はし」を提案している（文献（１））。この考案は、握り部と、はし本体と、このはし本体の先端部に食物を挟むためのピン形態の挾み部を設けた構成のはしであり、その特徴は、はし本体の間に設けた隙間と、はし本体の先端部の挾み部をピン形状とした構造である。この考案は、この挾み部による食物の挾み量を少量し、また、隙間から食物のすりぬけを図ることで、例えば、口に一度に大量の食物を運ばないようにできること（適量摂取）、ダイエット、健康維持等として利用できること、等の実益がある。そして、また、食物を適量摂取し、かつよく噛むことへの誘引となり、体の成長及び健康管理、又はベストの体重を維持できること、等の特徴がある。
【０００４】
さらに、特開２００４−３０５６７３の「ダイエット目的の開口抑制機能付き箸」の提案がある（文献（２））。この発明は、一対の箸と、この各箸の中心より、やや下側の先端部分に、それぞれ回転物を付け、この対の回転物を紐で連結するが、この紐の素材を、酸化しにくく耐水性に優れ、通常使用に耐えうる素材で、なおかつ各箸の先端部の開口幅を容易に狭められる構造とする。この発明は、箸を連結し、かつ箸の先端部分の開口幅の広がりを抑制することで、ダイエット効果を期待できることと、前記文献（１）と同じような特徴を達成できる等の実益がある。
【０００５】
【特許文献１】実用新案登録第３０６１９８９号
【特許文献２】特開２００４−３０５６７３
【考案の開示】
【考案が解決しようとする課題】
【０００６】
前記文献（１）と、文献（２）は、従来の要望である１）〜４）を、一部で達成できるが、未だ充分とはいえない。その理由を説明すると、前記１）で説明した満腹感を達成し、かつ食物摂取が少量でも達成できるようにするには、先端部の形態が大切である。しかし、文献（１）のピン形状の挾み部、又は文献（２）の先端部では、当該目的を達成するには、充分でない。また、２）  で説明した掴む量を少なくするにも、前述した如く、ピン形状の挾み部、又は先端部の形状では、不可能と考えられる。そして、また、３）  で説明したおかずを食べる際、少量でなければ、ご飯とともに、口に運ぶことが困難となり、おかずの味付けが希釈化される（薄口の味付け）効果と、塩分調整（減塩効果）に役立つことが考えられる。しかし、前述した如く、ピン形状の挾み部、又は先端部の形状では、不可能と考えられる。
【課題を解決するための手段】
【０００７】
請求項１の考案は、はし本体の先端掴み部を、球形とすることで、次の１）  〜４）  を意図する。
１）  満腹感を食物摂取が少量でも達成できるようにすることと、この少量の食物を、よく噛むこと、この所作を介して、脳への刺激と、脳へ満腹感を認知させる。
２）  掴む量を少なくし、単品の食物（おかず又はご飯）を食べる状況を確保し、食材の旨みを確認しながら、楽しく、かつ愉快な食事が可能となる。
３）  おかずを食べる際、少量でなければ、ご飯とともに、口に運ぶことが困難となり、おかずの味付けが希釈化（薄口の味付け）できること、また、塩分調整（減塩）に役立つ。
４）  個人のはしであって、原則として、代替ができない故に、マイはしとしての認知を確保できる。
【０００８】
また、請求項１の考案は、握り部の自由端側を、三角テーパ形状とすることで、次の５）  を意図する。
５）  米粒、食物片、又はカット食物等の如く、小さく、細い食物を挾み得る（先端部を、球形とした弊害を解消する）。
【０００９】
請求項１は、握り部と、この握り部に連設したはし本体と、このはし本体の先端掴み部で構成したはしであって、
この先端掴み部（挾み部）を、球形（球体、又は卵形）とするとともに、握り部の自由端側を、三角テーパ形状とする構造としたはしである。
【００１０】
請求項２の考案は、はし本体を分割可能とし、利便性と、携帯性を確保することで、次の６）  を意図する。
６）  マイはしとしての役目を充足し、資源の有効利用と、環境維持を図ることにある。
【００１１】
請求項２は、請求項１に記載のはしであって、
そのはしを、握り部と、はし本体間で、接離可能とする構造としたはしである。
【００１２】
請求項３の考案は、球形の外形寸法と、はし本体の最も太い箇所の外形寸法が、略同じ直径とし、利便性と、収納の容易化を確保することで、次の７）  を意図する。
７）  はしとしての違和感をなくし、指の動きを、先端掴み部に伝えることと、確実な掴みを図ることにある。
【００１３】
請求項３は、請求項１に記載のはしであって、
その先端掴み部の球形の外形寸法と、はし本体の最も太い箇所の外形寸法が、略同じ直径とする構造としたはしである。
【考案の効果】
【００１４】
請求項１の考案は、握り部と、握り部に連設したはし本体と、はし本体の先端掴み部で構成したはしであって、
先端掴み部を、球形とするとともに、握り部の自由端側を、三角テーパ形状とする構造としたはしである。
【００１５】
従って、請求項１は、はし本体の先端掴み部を、球形とすることで、次の１）  〜５）  を達成する。
１）  満腹感を食物摂取が少量でも達成できるようにすることと、この少量の食物を、よく噛むこと、この所作を介して、脳へ刺激と、脳への満腹感を認知させる。
２）  掴む量を少なくし、単品の食物（おかず又はご飯）を食べる状況を確保し、食材の旨みを確認しながら、楽しく、かつ愉快な食事が可能となる。
３）  おかずを食べる際、少量でなければ、ご飯とともに、口に運ぶことが困難となり、おかずの味付けが希釈化（薄口の味付け）できること、また、塩分調整（減塩効果）に役立つ。
４）  個人のはしであって、原則として、代替ができない故に、マイはしとしての認知を確保できる。
【００１６】
また、請求項１の考案は、握り部の自由端側を、三角テーパ形状とすることで、次の５）  を達成する。
５）  米粒、食物片、又はカット食物等の如く、小さく、細い食物を挾み得る（先端部を、球形とした弊害を解消する）。
【００１７】
請求項２の考案は、請求項１に記載のはしであって、
はしを、握り部と、はし本体間で、接離可能とする構造としたはしである。
【００１８】
従って、請求項２は、はし本体を分割可能とし、利便性と、携帯性を確保することで、次の６）  を達成する。
６）  マイはしとしての役目を充足し、資源の有効利用と、環境維持を図ることにある。
【００１９】
請求項３の考案は、請求項１に記載のはしであって、
先端掴み部の球形の外形寸法と、はし本体の最も太い箇所の外形寸法が、略同じ直径とする構造としたはしである。
【００２０】
従って、請求項３は、球形の外形寸法と、はし本体の最も太い箇所の外形寸法が、略同じ直径とし、利便性と、収納の容易化を確保することで、次の７）  を達成する。
７）  はしとしての違和感をなくし、指の動きを、先端掴み部に伝えることと、確実な掴みを図る。
【考案を実施するための最良の形態】
【００２１】
本考案の一例を説明する。
【００２２】
図面の説明をすると、図１は対のはしの全体の斜視図、図２は先端部の球形を示した拡大斜視図、図３は握り部の自由端側の三角テーパ形状を示した斜視図、図４は対のはしが、接離（分解）可能な構造を示した一部欠截斜視図、である。
【００２３】
図において１ははしであり、このはし１は、握り部２と、はし本体３と、はし本体３の基端側３０１の先端掴み部４（掴み部）で構成する。そして、この考案の特徴は、はし本体３の基端側３０１の先端掴み部４を、球形６とするとともに、握り部２の自由端側２００を、三角テーパ形状７とする。尚、はし１は、木製、金属杆、アルミニュウム、ステンレス、プラスチック等の素材を利用する。
【００２４】
従って、本考案では、食物Ｆを掴む場合には、前記球形６間で行う。この場合に、食物Ｆを、球面で掴み、所謂、食物Ｆを、点接触で掴むことから、その掴み量が少なくなる特徴があり、前記１）  〜５）  の特徴が、充分に期待できる。そして、この球形６の先端を見て、少量ずつ食し得ることと、この状況を、常に再確認することで、前記１）  〜５）  の特徴と、実行に役立つ利点がある。
【００２５】
これに対して、従来のはしでは、先端部の形状が、平板形状、又は筒形状であり、食物Ｆを、面で掴む構造となり、その掴み量は、おのずから大量となる。従って、この従来のはしでは、本考案が意図する１）  〜５）  の特徴は期待できない。
【００２６】
そして、前記三角テーパ形状７は、球形６で掴みきらない、例えば、米粒、食物片、又はカット食物等の如く、小さく、細い食物を挾み得ること、また、重箱、器の隅に残った、食物Ｆを、確実、かつ速やかに掴み得る特徴があり、かつ先端掴み部４を球形６とした弊害を解消する。また、この三角テーパ形状７は、通常のはしとしての役割が可能となり重宝する。
【００２７】
また、図４は、はし１を、握り部２と、はし本体３間で、接離可能とする構造であり、この例では、握り部２の基端側２０１に設けた螺杆１１と、はし本体３の自由端側３００に設けた螺孔１０の組合せで構成し、螺入、螺戻を利用して、一体化、又は分離（接離）する構造であり、例えば、利便性と、携帯性を確保すること、又はマイはしとしての役目を充足し、資源の有効利用と、環境維持を図ることにある。
【００２８】
尚、先端掴み部４の球形６の外形寸法と、はし本体３の最も太い箇所の外形寸法が、略同じ直径とする構造では、利便性と、収納の容易化を確保することで、又ははし１としての違和感をなくし、指の動きを、先端掴み部４及び／又は球形６に伝えることと、確実な掴みが可能となる。そして、また、家庭のしつけと、全員での食生活が楽しくなること、素晴らしい習慣（食生活）が図れること等の利点も考えられる。
【図面の簡単な説明】
【００２９】
【図１】図１は対のはしの全体の斜視図
【図２】図２は先端部の球形を示した拡大斜視図
【図３】図３は握り部の自由端側の三角テーパ形状を示した斜視図
【図４】図４は対のはしが、接離（分解）可能な構造を示した一部欠截斜視図
【符号の説明】
【００３０】
１            はし
２            握り部
２００        自由端側
２０１        基端側
３            はし本体
３００        自由端側
３０１        基端側
４            先端掴み部
６            球形
７            三角テーパ形状
１０          螺孔
１１          螺杆
Ｆ            食物
【図１】
0003146394.tif 000003
【図２】
0003146394.tif 000004
【図３】
0003146394.tif 000005
【図４】
0003146394.tif 000006